(57)【特許請求の範囲】
【請求項１】
両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有し、対をなす第１支持体及び第２支持体と、
前記第１支持体の前記第２掛部と前記第２支持体の前記第２掛部との間を連結し、第１支持体と第２支持体とを重ね合せたときに２つ折り自在となり、かつ、両者間で形成された面相互間の内側に衣料品を載せることが自在な柔軟体と
を具備することを特徴とする衣料品保管具。
【請求項２】
両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有する第１支持体と、
略長方形状に形成し、略直線状の第１掛部と、その第１掛部に平行し、かつ、所定の距離を離した第２掛部と、前記第１支持体に対して係止可能な鉤部を所定数配設した第２支持体と、
前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体と
を具備することを特徴とする衣料品保管具。
【請求項３】
前記第２支持体の前記第１掛部に、鉤部を固着したことを特徴とする請求項２記載の衣料品保管具。
【請求項４】
前記第２掛部は、第２掛部に対して柔軟体が着脱可能であることを特徴とする請求項１乃至請求項３の何れか１つに記載の衣料品保管具。
【請求項５】
両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有し、対をなす第１支持体及び第２支持体と、
前記第１支持体の前記掛部と前記第２支持体の前記掛部との間を連結し、第１支持体と第２支持体とを重ね合せたときに２つ折り自在となり、かつ、両者間で形成された面相互間の内側に衣料品を載せることが自在な柔軟体と
を具備することを特徴とする衣料品保管具。
【請求項６】
両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、
略長方形状に形成し、略直線状の第１掛部と、その掛部に平行し、かつ、所定の距離を離した第２掛部と、前記第１支持体に対して係止可能な鉤部を所定数配設した第２支持体と、
前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体と
を具備することを特徴とする衣料品保管具。
【請求項７】
両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、
略直線状の掛部と、前記第１支持体に対して係止可能な鉤部を所定数配設した第２支持体と、
前記第１支持体の前記掛部と前記第２支持体の前記掛部との間を連結し、第１支持体に対して第２支持体を係止したときに２つ折り自在となり、かつ、両者間で形成された面相互間の内側に衣料品を載せることが自在な柔軟体と
を具備することを特徴とする衣料品保管具。
【請求項８】
横方向の一端が解放してなる略横Ｕ字状に形成され、前記略横Ｕ字状の一方の略直線状の略中央を略逆Ｕ字状に形成した吊り部と、前記略横Ｕ字状の他方を略直線状に形成した掛部とを有し、対をなす第１支持体及び第２支持体と、
前記第１支持体の前記掛部と前記第２支持体の前記掛部との間を連結し、第１支持体と第２支持体とを重ね合せたときに、両者間で形成された面相互間の内側に衣料品を載せることが自在な柔軟体と
を具備することを特徴とする衣料品保管具。
【請求項９】
前記掛部の先端部には、柔軟体の移動を防止する着脱自在なキャップが設けられていることを特徴とする請求項８に記載の衣料品保管具。
【請求項１０】
前記第１支持体及び第２支持体の前記略横Ｕ字状の構成体側部と前記掛部の先端部に取付けられ、前記掛部と所定距離離れて直線部分が平行する補助部材を有することを特徴とする請求項８または請求項９に記載の衣料品保管具。
【請求項１１】
第１掛部、第２掛部、掛部には、その一部または全部に変形を防止するリブを形成したことを特徴とする請求項１乃至請求項１０のいずれか１つに記載の衣料品保管具。
【請求項１２】
前記柔軟体は、その両端部に、前記掛部または第２掛部が挿通される筒部を形成したことを特徴とする請求項１乃至請求項１１のいずれか１つに記載の衣料品保管具。
【請求項１３】
前記筒部は、接着、縫製、スナップ釦、接着布のいずれか１つによって形成したことを特徴とする請求項１２に記載の衣料品保管具。
【請求項１４】
前記第１支持体または第２支持体は、色彩で区別できるように形成したことを特徴とする請求項１乃至請求項１３のいずれかに記載の衣料品保管具。
【請求項１５】
前記第１支持体または第２支持体には、識別のための表示部を設けたことを特徴とする請求項１乃至請求項１３のいずれかに記載の衣料品保管具。
【請求項１６】
前記柔軟体には、識別のための表示部を設けることを特徴とする請求項１乃至請求項１５のいずれか１つに記載の衣料品保管具。
【請求項１７】
前記柔軟体は、綿布で形成したことを特徴とする請求項１乃至請求項１６のいずれか１つに記載の衣料品保管具。
【請求項１８】
前記柔軟体には、紐体を取付け、開口側の開きを拘束することを特徴とする請求項１乃至請求項１７のいずれか１つに記載の衣料品保管具。
【発明の詳細な説明】
【０００１】
【発明の属する技術分野】
本発明は、衣料品保管具に関するものであり、特に、クリーニング店やクリーニング取次店等において有用な衣料品保管具に関するものである。
【０００２】
【従来の技術】
クリーニング店等において、クリーニングが完了したシャツ等を保管する従来の方法を図１４を用いて説明する。
【０００３】
図１４は従来におけるクリーニングが完了したシャツの保管状態を示す説明図である。
【０００４】
図において、Ａは棚、Ｂはクリーニングが完了したシャツである。図に示すように、従来は、クリーニングが完了したシャツＢ等を一点づつ紙テープ等で軽く縛ったり、紙で包んだり、透明な合成樹脂製の袋に入れたりして、お客が受け取りに来るまでの間、棚Ａに積んで保管していた。この棚はお客にも見える場所に置かれる場合が多い。また、ズボン等の丈の長い衣料品とシャツとネクタイとをセットでクリーニングの依頼を受けた場合には、クリーニングが完了したときそれぞれを別の場所に保管することになるので、集めて来店したお客に渡すのに時間がかかっていた。このような問題点を解決しようとする従来技術として、特開昭６２−２０１１１３号公報に掲載されたハンガー吊持部材がある。このハンガー吊持部材は、ハンガー本体の中央部から吊下体を吊り下げ、この吊下体の下端に設けられている挟着部によりズボン等を挟持できるようにしたものである。
【０００５】
【発明が解決しようとする課題】
図１４に示す従来の保管方法においては、下の方に積まれているものは押し潰されないまでも、取り出しが面倒であり、来店したお客の品物がたまたま下積みになっていると、お客に好感をもたれない場合もあった。また、お客は、全部のクリーニング完了品の中で、自分のものが何番目位に或いはどの程度に古くから保管されているかが全く分らなかったので、受取りに来るのが非常に遅くなっても、お客があまり気にしないという問題点があった。また、特開昭６２−２０１１１３号公報に掲載されているハンガー吊持部材においては、衣類を挟持するので、衣類に挟んだ跡が付くこともあり、挟む力を弱くすると挟んだ衣類が重いと落下しやすいということも予測される。
【０００６】
更に、図１４に示す従来の棚にクリーニングが完了したシャツ等を保管する場合には、最初に受付け番号順に格納しても引渡しの繰返しによって、その順序が不明になってしまう。殊に、２／３程度のシャツ等をお客に引渡した後、棚を変更するには、受付け番号順の整理の作業量が多くなり、担当者の作業負担量が増加する。しかし、受付け番号順の整理作業を怠ると、お客が来店してから該当するものを探すに時間が係り、引渡すまでの引渡時間が長くなり、担当者の精神的な負担が大きくなる。そして、複数の担当者が特定時間を担当すると、その交代の際に仔細な打合せを行わないと後任者がわからなくなる場合もある。
【０００７】
本発明は、このような問題点を解決するためになされたものであり、クリーニングが完了したシャツ等の衣類の取り出しが容易であり、下積み、上積みの問題によるお客に不快感を持たれるのが防止され、クリーニング完了順に保管が可能であり、省スペース化できる衣料品保管具の提供を課題とするものである。
【０００８】
【課題を解決するための手段】
請求項１に係る衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有し、対をなす第１支持体及び第２支持体と、前記第１支持体の前記第２掛部と前記第２支持体の前記第２掛部との間を連結し、第１支持体と第２支持体とを重ね合せたときに２つ折り自在となり、かつ、両者間で形成された面相互間の内側に衣料品を載せることが自在な柔軟体とを具備するものである。
【０００９】
請求項２に係る衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有する第１支持体と、略長方形状に形成し、略直線状の第１掛部と、その第１掛部に平行し、かつ、所定の距離を離した第２掛部と、前記第１支持体に対して係止可能な鉤部を所定数配設した第２支持体と、前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体とを具備するものである。
【００１０】
請求項３に係る衣料品保管具はの前記第２支持体の前記第１掛部には、係止部を固着したものである。
【００１１】
請求項４に係る衣料品保管具の第２掛部は、柔軟体が着脱可能としたものである。
【００１２】
請求項５に係る衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有し、対をなす第１支持体及び第２支持体と、前記第１支持体の前記掛部と前記第２支持体の前記掛部との間を連結し、第１支持体と第２支持体とを重ね合せたときに２つ折り自在となり、かつ、両者間で形成された面相互間の内側に衣料品を載せることが自在な柔軟体とを具備するものである。
【００１３】
請求項６に係る衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、略長方形状に形成し、略直線状の第１掛部と、その掛部に平行し、かつ、所定の距離を離した第２掛部と、前記第１支持体に対して係止可能な鉤部を所定数配設した第２支持体と、前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体とを具備するものである。
【００１４】
請求項７に係る衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、略直線状の掛部と、前記第１支持体に対して係止可能な鉤部を所定数配設した第２支持体と、前記第１支持体の前記掛部と前記第２支持体の前記掛部との間を連結し、第１支持体に対して第２支持体を係止したときに２つ折り自在となり、かつ、両者間で形成された面相互間の内側に衣料品を載せることが自在な柔軟体とを具備するものである。
【００１５】
請求項８に係る衣料品保管具は、横方向の一端が解放してなる略横Ｕ字状に形成され、前記略横Ｕ字状の一方の略直線状の略中央を略逆Ｕ字状に形成した吊り部と、前記略横Ｕ字状の他方を略直線状に形成した掛部とを有し、対をなす第１支持体及び第２支持体と、前記第１支持体の前記掛部と前記第２支持体の前記掛部との間を連結し、第１支持体と第２支持体とを重ね合せたときに、両者間で形成された面相互間の内側に衣料品を載せることが自在な柔軟体とを具備するものである。
【００１６】
請求項９に係る衣料品保管具の前記掛部の先端部には、柔軟体の移動を防止する着脱自在なキャップが設けられているものである。
【００１７】
請求項１０に係る衣料品保管具は、前記第１支持体及び第２支持体の前記略横Ｕ字状の構成体側部と前記掛部の先端部に取付けられ、前記掛部と所定距離離れて直線部分が平行する補助部材を有するものである。
【００１８】
請求項１１に係る衣料品保管具は、第１掛部、第２掛部、掛部には、その一部または全部に変形を防止するリブを形成したものである。
【００１９】
請求項１２に係る衣料品保管具の前記柔軟体は、その両端部に、前記掛部または第２掛部が挿通される筒部を形成したものである。
【００２０】
請求項１３に係る衣料品保管具の前記筒部は、接着、縫製、スナップ釦、接着布のいずれか１つによって形成したものである。
【００２１】
請求項１４に係る衣料品保管具の前記第１支持体または第２支持体は、色彩で区別できるように形成したものである。
【００２２】
請求項１５に係る衣料品保管具の前記第１支持体または第２支持体には、識別のための表示部を設けたものである。
【００２３】
請求項１６に係る衣料品保管具の前記柔軟体には、識別のための表示部を設けたものである。
【００２４】
請求項１７に係る衣料品保管具の前記柔軟体は、綿布で形成したものである。
【００２５】
請求項１８に係る衣料品保管具の前記柔軟体には、紐体を取付け、開口側の開きを拘束するものである。
【００２６】
【発明の実施の形態】
発明の実施の形態１．
図１は本発明の実施の形態１による衣料品保管具の斜視図である。
【００２７】
図において、１及び２はそれぞれ合成樹脂製の第１支持体及び第２支持体である。本実施の形態においては、第１支持体１及び第２支持体２は便宜的に区別するが、基本的に全く同一である。３は一端が第１支持体１に吊り下げられ、他端が第２支持体２に吊り下げられる長方形の柔軟体、例えば、長方形の布であり、織布、不織布が使用される。合成樹脂も使用できるが、静電気等によって誇りを付着させない特性のものが必要である。通常、綿布が好適である。
【００２８】
３ａ及び３ｂ及び３ｃはそれぞれ表面に微細な突起物が多量に設けられている接着布（商標名『マジックテープ』と呼称されている）である。周知のように、この接着布３ａ，３ｂ，３ｃには２種類があり、種類の異なる対の接着布４ａ，５ａを押し付けると互いに張り付き、張り付いても所定の外力以上で簡単に剥される。布３の第２支持体２寄りの外側において、図の向って右寄りに接着布３ａ、向って左寄りに接着布３ｂ、中央付近に接着布３ｃがそれぞれ縫着または接着されている。４及び５はそれぞれ一端が布３の第１支持体１寄りに取り付けられた第１紐体及び第２紐体である。例えば、所定の幅を有するテープ状の紐である。第１紐体４の一端が図の向って左寄りのところで布３に取り付けられているのに対し、第２紐体５の一端は向って右寄りのところで布３に取り付けられている。なお、この第１紐体４及び第２紐体５は一本で形成してもよい。第１紐体４の他端には接着布４ａが縫着または接着されており、第２紐体５の他端には接着布５ａが縫着または接着されている。この接着布５ａが取り付けられている裏側には接着布３ａ，３ｂ，３ｃと同じ種類の接着布５ｂが取り付けられている。第１紐体４側の接着布４ａは布３側の接着布３ｂに張り付き、第２紐体５側の接着布５ａは布３側の接着布３ａに張り付く。第２紐体５側の接着布５ｂは第１紐体４側の接着布４ａに張り付き、第２紐体５側の接着布５ａは布側の接着布３ｃにも張り付く。１０００は図１の全体により示される衣料品保管具である。
【００２９】
図２は図１の衣料品保管具の使用例を示す図である。
【００３０】
図において、３００はクリーニングが完了し、ビニール等のに格納されたシャツであり、一端が第１支持体１に、他端が第２支持体２にそれぞれ吊り下げられた布３により保持されている。４００はクリーニングが完了し、透明なビニール等の袋に入れられているネクタイであり、第２支持体２に設けられている水平な棒状の第１掛部２ｅの中央付近に掛けられている。更に、ネクタイ４００の外側において第１紐体４側の接着布４ａと第２紐体５側の接着布５ｂとを張り付け、第１支持体１と第２支持体２とが大きく離れて膨らんだり、シャツ３００やネクタイ４００が移動したりしないように軽く締め付けている。同じお客からシャツ３００とネクタイ４００のクリーニングを依頼された場合は、クリーニングの完了後、客単位に図２のように１つにまとめて保管することができる。
【００３１】
図３は、図１による衣料品保管具の別の使用例を示す図である。
【００３２】
図において、５００はズボンである。このズボン５００は、第２支持体２に設けられている水平な棒状の第１掛部２ｅの中央付近に掛けられ、水平な棒状の第１掛部２ｅから垂れ下がった一方は布３の間に収納され、他方は布３の外側に垂れ下っている。更に、その外側において第１紐体４側の接着布４ａと第２紐体５側の接着布５ｂとが張り付けられている。したがって、第１支持体１と第２支持体２とが大きく離れて膨らんだり、ズボン５００が移動したりしないように第１紐体４及び第２紐体５により全体を軽く締め付けている。なお、ズボン５００は丈の長い他の衣料品であってもよい。
【００３３】
図１に示す衣料品保管具は、図２のようにシャツ等の保管専用に使用した場合に有用であるが、図２及び図３のように衣服を掛けて使用するか、また、一般に使用されている従来の衣類用ハンガーとして、同時に上着を掛けて使用することもできる。また、図１に示す衣料品保管具によれば、クリーニングが完了したシャツ等の服飾品の仕上り状態が保管中に損われるのが防止されるとともに、それらの保管、及び取り出しが容易であり、お客に見えるところにクリーニングの完了したシャツを保管しても、下積み、上積みの問題が発生せずお客に不快感を持たれないで済み、お客の見えるところにクリーニング完了順に保管することにより全体から見た、受取り遅れの程度をお客が理解できるようにすることも可能になり、更に、複数点の服飾品をセットでクリーニング依頼を受けた場合において、クリーニング完了品をお客別にまとめて保管し易くし、まとめて取り出し易くすることができる。
【００３４】
なお、第１紐体４、第２紐体５やこれを留める接着布３ａ、３ｂ、３ｃ、４ａ、５ａがなくても、衣料品の保持は可能である。
【００３５】
図４は、図１に示す衣料品保管具において、接着布３ａ，３ｂ，３ｃ，４ａ，５ａの代わりにスナップ釦３ｄ，３ｅ，３ｆ，４ｂ，５ｃを用いた場合を示す斜視図である。  図において、３ｄ、３ｅ、及び３ｆはそれぞれスナップ釦であり、布３の他端寄りの外側において、図の向って右寄りにスナップ釦３ｄ、向って左寄りにスナップ釦３ｅ、中央付近にスナップ釦３ｆがそれぞれ圧着等により取り付けられている。４、５は、上述のようにそれぞれ一端が布３の一端寄りに取り付けられた紐であり、第１紐体４が図の向って左寄りのところで布３に取り付けられているのに対し、第２紐体５は向って右寄りのところで布３に取り付けられている。第１紐体４の他端にはスナップ釦４ｂが、第２紐体５の他端にはスナップ釦５ｃがそれぞれ圧着等により取り付けられている。更に、このスナップ釦５ｃ裏側にはスナップ釦５ｄが取り付けられている。２０００は、図４の全体により示される衣料品保管具である。第１紐体４側のスナップ釦４ｂは布３側のスナップ釦３ｅに留められ、第２紐体５側のスナップ釦５ｃは布３側のスナップ釦３ｄに留められる。第２紐体５側のスナップ釦５ｄは第１紐体４側のスナップ釦４ｂに留められ、第２紐体５側のスナップ釦５ｃは布３側のスナップ釦３ｆに留めることもできる。このような図４に示す衣料品保管具を用いても、図１に示す衣料品保管具を用いた場合と同様の効果が得られる。
【００３６】
更に、衣料品保管具の構成部分の仔細について説明する。
【００３７】
図５は、布３の一端を第１支持体１に留める方法を示す説明図である。布３の他端を第２支持体２に留める方法も同様である。図５（ａ）はそのうちの１つの方法を示している。
【００３８】
図において、１ａは第１支持体１の吊り部である。吊り部１ａは略逆Ｕ字状の曲がり部を有する鉤状の形状をしている。１ｂは吊り部１ａの一端から斜め下方両側に延在するものであり、逆にみれば、両端から中央にむかって滑かな山状に突出させた構成体上部であり、構成体上部１ｂで吊り部１ａの一端から人の両肩の輪郭線状に延在する部分を形成している。１ｃは構成体上部１ｂの下端から下方に所定距離延在する構成体側部、１ｄは構成体上部１ｂの下端から下方に所定距離延在する他方の構成体側部、１ｅは構成体側部１ｃの上部寄りと構成体側部１ｄの上部寄りとを水平につなぐ第１掛部、１ｆは構成体側部１ｃの下端部と構成体側部１ｄの下端部とを水平につなぐ第２掛部である。第１支持体１は吊り部１ａ、構成体上部１ｂ、構成体側部１ｃ、構成体側部１ｄ、第１掛部１ｅ、第２掛部１ｆから構成されている。
【００３９】
図５（ａ）に示す構成においては、布３の一端を第１支持体１の第２掛部１ｆに回し（即ち、第２掛部１ｆに縫代を確保して１回巻付け）、第２掛部１ｆを中に入れて布３同士を重ねて縫製されている。第２支持体２も第１支持体１と同様に構成されており、布３の他端は第２支持体２に同様に取り付けられている。なお、図５において、第１支持体１の吊り部１ａは第２支持体２の吊り部２ａ、第１支持体１の構成体上部１ｂは第２支持体２の構成体上部２ｂ、第１支持体１の構成体側部１ｃは第２支持体２の構成体側部２ｃ、第１支持体１の構成体側部１ｄは第２支持体２の構成体側部２ｄ、第１支持体１の第１掛部１ｅは第２支持体２の第２掛部２ｅ、第１支持体１の第２掛部１ｆは第２支持体２の第２掛部２ｆに相当しており、それぞれ全体が棒状で形成されている。
【００４０】
図５（ｂ）は布３同士を縫い付けずに、布３の一端付近において、互いに所定距離だけ離れた状態で布３の端部と平行に接着布３ｇ，３ｈを縫着しておき、布３の一端を第１支持体１の第２掛部１ｆに回し、接着布３ｇを接着布３ｈに張り付けるようにした場合を示す図である。
【００４１】
図５（ｃ）は接着布３ｇ，３ｈによらず、布３同士を複数のスナップ釦３ｊにより留めるようにした場合を示す図である。これらの複数のスナップ釦３ｊが布３に取り付けられる位置は、図５（ｂ）で接着布が縫着されている辺りに相当する。
【００４２】
図において、スナップ釦３ｊは頻繁に分離・一体化を繰返すことが可能なものではなく、十数回の分離・一体化が保証されたもので、図５（ｃ）にはスナップ釦３ｊを４個用いた場合が示されている。即ち、図５（ａ）、図５（ｂ）、図５（ｃ）に示す衣料品保管具においては、布３の両端には筒状の部分が形成された状態になり、一方の筒状の部分に第１支持体１の第２掛部１ｆが貫通し、他方の筒状の部分に第２支持体２の第２掛部２ｆが貫通した状態で使用される。
【００４３】
図６（ａ）、図６（ｂ）及び図６（ｃ）は他の支持体の例を示す図である。
【００４４】
図６（ａ）において、１０は第１支持体、１１は第１支持体１０に着脱可能に支持される所定長の棒状体で、、それを取付けることにより第２掛部１０ｆとなる。１０ａは鉤状の形状の吊り部、１０ｂは吊り部１０ａの一端から斜め下方に延在する構成体上部で、吊り部１０ａの一端から斜め両下方に延在し、人の両肩の輪郭線状に延在する部分を形成している。１０ｃは構成体上部１０ｂの下端から下方に所定距離延在する構成体側部であり、下端には取付部１０ｃ1 が設けられている。１０ｄは構成体上部１０ｂの下端から下方に所定距離延在する他方の構成体側部であり、その下端には取付部１０ｄ1 が設けられている。１０ｅは構成体側部１０ｃの上部寄りと構成体側部１０ｄの上部寄りとを水平につなぐ第１掛部である。取付部１０ｃ1 には穴１０ｃ11が設けられ、取付部１０ｄ1 には穴１０ｄ11が設けられている。第１支持体１０は吊り部１０ａ、構成体上部１０ｂ、構成体側部１０ｃ、構成体側部１０ｄ、第１掛部１０ｅ、第２掛部１０ｆから構成されており、全体が略棒状に形成されている。
【００４５】
棒状体１１は一端が穴１０ｃ11に他端が穴１０ｄ11に嵌め込まれて第１支持体１０に支持される。このような第１支持体１０によれば、布３が図５（ａ）の場合のように最初から縫製加工されていても、布３が第２掛部１０ｆへの着脱が容易にでき、布３の洗濯が容易に行える。また、図５（ｂ）、図５（ｃ）のように接着布３ｇ，３ｈやスナップ釦３ｊを用いた場合に比べて、布３への加工が容易に行え、接着布３ｇ，３ｈやスナップ釦３ｊがないので布３の洗濯が容易であり、見栄えもよく、製造コスト的にも有利である。
【００４６】
なお、棒状体１１は穴１０ｃ11，１０ｄ11に接着剤で固着してもよいし、或いは捩子（一端が右捩子で他端が左捩子）により、螺止し、棒状体１１を取外し自在としてもよい。
【００４７】
図６（ｂ）は更に他の第１支持体２０の例を示す図である。この第１支持体２０は着脱可能に支持される所定長の棒状体２１を具備している。
【００４８】
図において、２０ａは鉤状の形状の吊り部、２０ｂは吊り部２０ａの一端から斜め両下方に延在する構成体上部であり、人の両肩の輪郭線状に延在する部分を形成している。更に、構成体上部２０ｂの下端から下方に所定距離延在しその上部寄りに穴２０ｃ1 が、下部寄りに穴２０ｃ2 がそれぞれ設けられている構成体側部２０ｃと、構成体上部２０ｂの下端から下方に所定距離延在しその上部寄りに穴２０ｄ1 が、下部寄りに穴２０ｄ2 がそれぞれ設けられている構成体側部２０ｄと、一端が穴２０ｃ1 に他端が穴２０ｄ1 にそれぞれ取外し不能に嵌め込まれた棒状体からなる第１掛部２０ｅとが設けられている。棒状体２１は、一端が穴２０ｃ2 に他端が穴２０ｄ2 にそれぞれ嵌め込まれた状態で第２掛部２０ｆとなる。このような第１支持体２０によっても、図６（ａ）に示される支持体と同様の効果が得られる。
【００４９】
なお、棒状体２１は穴２０ｃ2 ，２０ｄ2 に接着剤で固着してもよいし、或いは捩子（一端が右捩子で他端が左捩子）により、螺止し、棒状体２１を取外し自在としてもよい。
【００５０】
図６（ｃ）は更に他の第１支持体３０を示す図である。この第１支持体３０は図６（ｂ）に示す第１支持体２０において、第１掛部２０ｅも着脱可能にしたものであり、第１支持体３０として着脱可能に支持される所定長の棒状体３１と、着脱可能に支持される所定長の棒状体３２とを具備している。
【００５１】
図において、３０ａは鉤状の形状の吊り部、３０ｂは吊り部３０ａの一端から斜め下方に延在する構成体上部であり、人の両肩の輪郭線状に延在する部分を形成している。更に、構成体上部３０ｂの下端から下方に所定距離延在しその上部寄りに穴３０ｃ1 が、下部寄りに穴３０ｃ2 がそれぞれ設けられている構成体側部３０ｃと、構成体上部３０ｂの他方の下端から下方に所定距離延在しその上部寄りに穴３０ｄ1 が、下部寄りに穴３０ｄ2 がそれぞれ設けられている構成体側部３０ｄとが設けられている。棒状体３１は、一端が穴３０ｃ1 に嵌め込まれ他端が穴３０ｄ1 に嵌め込まれた状態で第１掛部３０ｅとなっており、また、棒状体３２は一端が穴３０ｃ2 に嵌め込まれ他端が穴３０ｄ2 に嵌め込まれた状態で第２掛部３０ｆとなっている。このような第１支持体３０によっても、図６ａに示される支持体と同様の効果が得られる。
【００５２】
なお、棒状体３１，３２は穴３０ｃ1 ，３０ｃ2 ，３０ｄ1 ，３０ｄ2 に接着剤で固着してもよいし、或いは捩子（一端が右捩子で他端が左捩子）により、螺止し、棒状体３１，３２を取外し自在としてもよい。
【００５３】
図７は、他の第１支持体４０の例を示す図である。この第１支持体４０は図５（ａ）に示す第１支持体１において、構成体側部１ｃの下部から構成体側部１ｄの下部までに至る第２掛部１ｆを設けずに、構成体側部１ｄの下部から構成体側部１ｃの下部に向って構成体側部１ｃに至る少し前まで延在する第２掛部４０ｆを設けるようにしたものである。即ち、第１支持体４０は、鉤状の形状の吊り部４０ａと、吊り部４０ａの一端から斜め両下方に延在する構成体上部４０ｂと、構成体上部４０ｂの下端から下方に所定距離延在する構成体側部４０ｃ及び構成体側部４０ｄと、構成体側部４０ｃの上部寄りと構成体側部４０ｄの上部寄りとを水平につなぐ第１掛部４０ｅと、構成体側部４０ｄの下端部から構成体側部４０ｃの下端部に向って構成体側部４０ｃに至る少し前まで延在する第２掛部４０ｆとを有し、構成体上部４０ｂによって人の両肩の輪郭線状に延在する部分が形成されている。このような第１支持体４０によっても、図６（ａ）、図６（ｂ）に示される第１支持体１０，２０と同様の効果が得られる。
【００５４】
なお、第２掛部４０ｆは、構成体側部４０ｃより延在し、第１掛部４０ｅと所定距離離れた第１掛部４０ｅと平行に設けてもよい。
【００５５】
図８は、衣料品保管具に、掛けられている衣類がいずれのお客のものか等を示す識別片の貼付けを可能にする表示部が設けられている例を示す図である。
【００５６】
図８（ａ）は、図１または図５（ａ）に示す第１支持体１において、表示部１ｍの長手方向が縦になるように、構成体上部１ｂと第１掛部１ｅとの間に固定されている例を示す図である。
【００５７】
図において、１ｍは表示部で、金属板からなり、その両端部が構成体上部１ｂと第１掛部１ｅに巻き付けらている。勿論、これは合成樹脂で第１支持体１と一体成形してもよいし、別部品として組付けてもよい。
【００５８】
図８（ｂ）は表示部１ｍが長手方向が横になるように、構成体上部１ｂに固定されている例を示す図である。
【００５９】
図において、１ｍは表示部で、金属板からなり、その両端部が構成体上部１ｂとに巻き付けらている。勿論、これは合成樹脂で第１支持体１と一体成形してもよいし、別部品として組付けてもよい。
【００６０】
この表示部１ｍは図１または図５（ａ）に示す第１支持体１に限らず、上述のいずれの支持体にも取り付けることができる。識別片は、ネームカード（Ｎａｍｅ  Ｃａｒｄ）或いはＩＤタグ（Ｉｄｅｎｔｉｆｉｃａｔｉｏｎ  Ｔａｇ）、整理伝票とも呼ばれる。
【００６１】
図９（ａ）は、図１に示す衣料品保管具１０００を例にとり、布３に識別片の貼り付けを可能にする表示部９ａが設けられている様子を示す斜視図である。
【００６２】
図において、９ａは板状の表示部で、直接記載したり、または貼着したり、またはカード等を挿着できるものである。表示部９ａは、布３の左隅付近または右隅付近に長手方向が縦になるように取付けられている。この衣料品保管具においては、衣服の上着を支持体に掛けずに使用した場合に、特に、識別片が見やすい。図９（ｂ）は、このような衣料品保管具１０００が収納箱９０内に多数吊り下げられている様子を示す図である。
【００６３】
図において、９０は収納箱、９０ａ，９０ｂは収納箱９０内において上下に所定距離だけ離れてそれぞれ横方向に走り、両端が収納箱９０に固定されている金属管である。図に示すように、それぞれの衣料品保管具１０００はその吊り部１ａ，２ａが金属管９０ａまたは金属管９０ｂに掛けられ、表示部９ａが手前に来るように吊り下げられている。図に示されるように、衣料品保管具１０００が近接して多数吊り下げられていてもそれぞれの識別片が見やすくなる。クリーニング店等において、このような収納箱９０をお客が見えるところに置き、クリーニング完了順に並ぶように吊り下げれば、識別片の有無とは無関係に、全体から見た受取り遅れの程度をお客が容易に理解することができる。また、衣料品保管具１０００はその吊り部１ａ，２ａで金属管９０ａまたは金属管９０ｂに密に掛けることができるので、省スペースとなることが理解できる。
【００６４】
なお、表示部１ｍ、表示部９ａとは、張付けに使用されるベースのみを意味するものではなく、カード等を装着するもの等を含むものである。
【００６５】
発明の実施の形態２．
図１０は本発明の実施の形態２による衣料品保管具の第１支持体５０を示す図である。
【００６６】
図において、５０は第１支持体、５０ａは第１支持体５０の略逆Ｕ字状に曲がっている吊り部である。５０ｂは吊り部５０ａの一端から図１０の向かって左右の方向に延在する構成体上部、５０ｆは構成体上部５０ｂから更に延在し、図１０において横Ｕ字状に彎曲させた構成体側部５０ｃを介して形成した掛部である。第１支持体５０を２つと、布３とから衣料品保管具２０００が構成され、布３は一端が一方の第１支持体５０の掛部５０ｆから吊りさがり、他端が他方の図示しない第１支持体５０と同一形状の支持体の掛部（５０ｆ）から吊り下がる。この衣料品保管具２０００はそれぞれの第１支持体５０が吊り部５０ａにより吊り下げられて使用される。
【００６７】
図１０において、５０ｆ1 は第１支持体５０の掛部５０ｆの先端に設けられるキャップである。第１支持体５０が傾いてもこのキャップ５０ｆ1 があれば布３が移動したり落下したりするのを防止することができる。このキャップ５０ｆ1 は取り外し可能に掛部５０ｆの先端に単に螺合または係合していてもよいが、接着されていてもよい。本実施の形態のキャップ５０ｆ1 は、取り外し可能に掛部５０ｆの先端に螺合されている。なお、キャップ５０ｆ1 は掛部５０ｆから延在したものであってもよい。即ち、掛部５０ｆの先端に単に突起している形状の突起部を設けるようにしてもよく、同様の効果が得られる。
【００６８】
なお、図１０において、リブ５８は布３で挟まれた物品の重量によって、構成体側部５０ｃが延び、構成体上部５０ｂと掛部５０ｆとが平行を維持できなくなるのを防止するための補強である。
【００６９】
図１１は別の衣料品保管具２０００を示す図であり、リブ６８ａ，６８ｂ，６８ｃ以外は図１０に示したものと基本的に同様のものである。
【００７０】
図において、６０は第１支持体、６０ａは第１支持体６０の略逆Ｕ字状に曲がっている吊り部である。６０ｂは吊り部６０ａの一端から図１１の向かって左右方向に延在する構成体上部、６０ｆは構成体上部６０ｂから更に延在し、図１１において横Ｕ字状に構成体側部６０ｃを介して形成した掛部である。第１支持体６０を２つと、布３とから衣料品保管具２０００が構成され、布３は一端が一方の第１支持体６０の掛部６０ｆから吊りさがり、他端が他方の図示しない第１支持体６０と同一形状の支持体の掛部（６０ｆ）から吊り下がる。この衣料品保管具２０００はそれぞれの第１支持体６０が吊り部６０ａにより吊り下げられて使用される。
【００７１】
なお、図１１において、リブ６８ａ，６８ｂ，６８ｃは、布３で挟まれた物品の重量によって、構成体側部６０ｃが延び、構成体上部６０ｂと掛部６０ｆとが平行を維持できなくなるのを防止するため補強である。図に示すように、断面がリブ６８ａ，６８ｂ，６８ｃによる突起を有するから、この断面形状により、重力や外力による変形が防止される。
【００７２】
図１２は、更に別の衣料品保管具２０００を示す図であり、次の事項以外は図１０に示したものと同様のものである。
【００７３】
図において、７０は第１支持体、７０ａは吊り部、７０ｂは構成体上部、７１は補助部材である。この第１支持体７０は図１０の第１支持体５０に補助部材７１を設けるようにしたものである。図示のように、補助部材７１の一端は構成体側部７０ｃに係合され、他端は第２掛部７０ｆの先端部に取付けられている。それによって第１掛部７０ｅを形成している。この衣料品保管具２０００においては、補助部材７１、即ち、第１掛部７０ｅにネクタイ４００等を掛けることができる。補助部材７１は着脱可能でなく、構成体側部７０ｃから延在し第２掛部７０ｆの先端部に至る第１掛部として形成してもよい。また、第１支持体７０として図１１の支持体６０のようにリブ６８ａ，６８ｂ，６８ｃを設けてもよいし、またはリブ６８ａ，６８ｂ，６８ｃを設けてもよい。
【００７４】
ところで、図１０乃至図１２に示す吊り部５０ａ，６０ａ，７０ａは、略逆Ｕ字状として形成せず、直線状とすることができる。即ち、図９に示す金属管９０ａ，９０ｂを複数本、例えば、２本または３本とすれば、吊り部５０ａ，６０ａ，７０ａを形成する必要がなくなる。この種の実施の形態では、第１支持体５０，６０，７０を金属管の曲げ加工によって簡単に形成でき、廉価となる。
【００７５】
発明の実施の形態３．
図１３は、更に別の衣料品保管具３０００を示す図である。この衣料品保管具３０００は、図１３（ａ）に示すように、図１に示す第１支持体１と、この第１支持体１の第１掛部１ｅや、第２掛部１ｆに係止可能な、全体略長方形の第２支持体１００と、布３とを有し、第２支持体１００は、第１支持体１の第１掛部１ｅや、第２掛部１ｆに係止可能な鉤部１００ｍ及び鉤部１００ｎを有する第１掛部１００ｅと、第１掛部１００ｅの各端部から延在し、略逆Ｕ字状に曲がる鉤部１００ｍ及び鉤部１００ｎを有している。そして、第２支持体１００が第１支持体１に係止された状態で、第１支持体１の吊り部１ａにより第１支持体１が吊り下げられ、図１３（ｂ）に示すように、布３の一端側は第１支持体１の第２掛部１ｆから吊り下がり、他端側は次に説明する第２支持体１００の第２掛部１００ｆから吊り下がる。即ち、本実施の形態の第２支持体１００は、略長方形に形成され、第１掛部１００ｅ、構成体側部１００ｃ、第２掛部１００ｆ、構成体側部１００ｄ、鉤部１００ｍ及び鉤部１００ｎから構成されている。このような図１３（ａ）に示す構成により、衣料品の保持が可能であるが、更に、図１に示される第１紐体４、第２紐体５、接着布３ａ、３ｂ、３ｃを図１の場合と同様に図１３（ａ）に示す布３に取付ければ図１に示す衣料品保管具１０００と同様の機能が得られ、同様の効果が得られる。
【００７６】
発明の実施の形態４．
図１０、図１１、図１２において、第１支持体５０，６０，７０に対向する支持体は他方の第１掛部１００ｅ及び第２掛部１００ｆを具備する第２支持体１００とすることができる。第２支持体１００は図１３に示されるものと同様のものであってもよい。この種の衣料品保管具においては、布３の一端は第１支持体５０，６０，７０の掛部５０ｆ，６０ｆ、第２掛部７０ｆから吊り下がり、他端は係止体の上部１００ｆから吊り下がることになる。
【００７７】
また、図１乃至図７の第１支持体１，１０，２０，３０，４０及び第１支持体１，１０，２０，３０，４０に対向する第２支持体は、第１掛部１ｅ，１０ｅ，２０ｅ，３０ｅ，４０ｅを省略してもよい。このとき、最もシンプルな構成となり、廉価となる。
【００７８】
そして、図１３の第１掛部１００ｅ及び第２掛部１００ｆを具備する第２支持体１００は、第１掛部１００ｅを省略してもよい。このとき、第２支持体１００は、最もシンプルな構成となり、廉価となる。
【００７９】
発明の実施の形態５．
ところで、上記実施の形態の吊り部１ａ，１０ａ，２０ａ，３０ａ，４０ａ，５０ａ，６０ａ，７０ａは略逆Ｕ字状の曲がっているものとしたが、本発明を実施する場合には、これに限らず、吊ることのできる形状であればよく、例えば、釣針状に曲がっているものであってもよい。
【００８０】
また、上記実施の形態では、例えば、図７において、第２掛部４０ｆの先端には図１０の場合と同様に、キャップ５０ｆ1 設けるようにしてもよい。図１０の場合と同様の効果が得られる。また、図１乃至図１３の実施の形態においては、支持体の全体を図１１の場合と同様の断面形状にしてもよく、図１１の場合と同様の効果が得られる。
【００８１】
また、図１、図４、図５、図６、図７、図８（ｂ）及び図１３において第１掛部１ｅ，２ｅ，１０ｅ，２０ｅ，３０ｅ，４０ｅはなくてもよく、ネクタイ４００等を掛けるのがやや行いにくくなるが同様の効果が得られる。この場合は、図１３の略逆Ｕ字状に曲がる鉤部１００ｍ及び鉤部１００ｎは、第２掛部１ｆ，２ｆ，１０ｆ，２０ｆ，３０ｆまたは構成体上部４０ｂ等に係止する。また、この場合は、構成体側部１ｃ，１ｄ，１０ｃ，１０ｄ等はなくてもよい。
【００８２】
更に、構成体上部１ｂは、衣服の上着が掛けられる両肩の輪郭線状の部分が形成されていないものであってもよい。
【００８３】
本発明の実施の形態３または実施の形態４において、第２支持体１００は構成体側部１００ｃが彎曲でなく、略コ字状になっていてもよく、布３の着脱が容易に行えるものであればよい。また、布３の第２支持体１００への留め方も図５と同様の手段が使用可能である。また、図６（ａ）、図６（ｂ）等と同様の構造にし、第２掛部１００ｆの着脱を可能にすることにより布３の着脱を可能にすることもできる。また、図７の場合と同様に、第２掛部１００ｆは構成体側部１００ｃから構成体側部１００ｄに至るまで延在せずに、その直前ま延在する形状にしても布３の着脱が可能になる。
【００８４】
また、本発明の実施の形態３または本発明の実施の形態４において、第２支持体１００は、第１掛部１００ｅがなく、鉤部１００ｍが第２掛部１００ｆの一端またはその近くに、鉤部１００ｎが第２掛部１００ｆの他端またはその近くに設けられているようにしてもよい。
【００８５】
例えば、第１支持体１または第２支持体２または第２支持体１００への布３の取り付けは、図５（ａ）または図１３のように構成することなく、布３の端部を、例えば、第１支持体１または第２支持体２または第２支持体１００に接着または縫着等によって行ってもよい。また、接着や縫着によらず、布３に接着布３ｇ，３ｈまたはスナップ釦３ｊを取付け、例えば、第１支持体１、第２支持体２または第２支持体１００と取付けてもよい。
【００８６】
そして、第１紐体４、第２紐体５の一端は布３に縫着せずに、例えば、第１支持体１、第２支持体２または係止体１００に接着または縫着等により取付けてもよい。
【００８７】
上記実施の形態においては、布３は長方形であるものとして説明したが、長方形に限定されるものではなく、略台形等にすることもできる。
【００８８】
更に、上記実施の形態においては、柔軟体としての布３として説明したが、本発明を実施する場合には、これに限らず、合成樹脂の柔軟なフィルム状のものでもよく、また、ネット、複数本の紐であってもよい、特に、柔軟体が合成樹脂等の柔軟なフィルムである場合は、上記実施の形態において縫着したところは、溶着するのが好ましい。
【００８９】
更にまた、この発明による衣料品保管具１０００，２０００，３０００は、クリーニング店等の業務用に限らず一般家庭においても使用可能であり、このような用途においてもシャツ等の服飾品が保管中にその形態が損われるのが防止されるとともに、それらの保管及び取出しが容易であり、更に、個人別に複数点の服飾品をセットにしての保管が容易となる。
【００９０】
発明の実施の形態のまとめ
上記実施の形態の衣料品保管具は、図１の実施の形態に示すように、両端から中央にむかって滑かな山状に突出させた構成体上部１ｂと、構成体上部１ｂの略中央に一端を接続してなる略逆Ｕ字状に形成された吊り部１ａと、構成体上部１ｂの両端に接続してなる略直線状の第１掛部１ｅと、第１掛部１ｅに平行し、かつ、所定の距離を離して形成した第２掛部１ｆとを有し、対をなす第１支持体１及び第２支持体２と、第１支持体１の第２掛部１ｆと第２支持体２の第２掛部２ｆとの間を連結し、第１支持体１と第２支持体２とを重ね合せたときに２つ折り自在となり、かつ、両者間で形成された面相互間の内側に衣料品を載せることが自在な布３からなる柔軟体とを具備する実施の形態を含む発明とすることができる。しかし、本発明を実施する場合には、図１乃至図７の実施の形態及び図１１に示す実施の形態としても対応できる。
【００９１】
この実施の形態では、第１支持体１の第１掛部１ｅと第２支持体２の第１掛部２ｅにシャツ以外のネクタイ、ズボン等を掛けることができ、依頼者単位の管理が容易になる。
【００９２】
また、上記実施の形態の衣料品保管具は、図１３に示すように、両端から中央にむかって滑かな山状に突出させた構成体上部１ｂと、構成体上部１ｂの略中央に一端を接続してなる略逆Ｕ字状に形成された吊り部１ａと、構成体上部１ｂの両端に接続してなる略直線状の第１掛部１ｅと、第１掛部１ｅに平行し、かつ、所定の距離を離して形成した第２掛部１ｆとを有する第１支持体１と、略長方形状に形成し、略直線状の第１掛部１００ｅと、その第１掛部１００ｅに平行し、かつ、所定の距離を離した第２掛部１００ｆと、第１支持体１に対して係止可能な鉤部１００ｍ及び鉤部１００ｎを所定数配設した第２支持体１００と、第１支持体１の第２掛部１ｆと第２支持体１００の第２掛部１００ｆとの間を連結し、第１支持体１に対して第２支持体１００を係止したときに２つ折り自在となり、かつ、両者間で形成された面相互間の内側に衣料品を載せることが自在な布３からなる柔軟体とを具備する実施の形態を含む発明とすることができる。
【００９３】
しかし、本発明を実施する場合には、第１支持体１としては図１乃至図７の実施の形態及び図１１に示す実施の形態としても対応できる。
【００９４】
この実施の形態では、第１支持体１の第１掛部１ｅにシャツ以外のネクタイ、ズボン等を掛けることができ、依頼者単位の管理が容易になる。また、吊り部１ａが１個であるから、金属管９０ａ，９０ｂに引掛け易くなる。
【００９５】
上記実施の形態の衣料品保管具は、第２支持体１００の第１掛部１００ｅに、鉤部１００ｍ及び鉤部１００ｎを固着したものであるから、第１支持体１の第１掛部１ｅと第２掛部１ｆと同様の機能を持つことができる。
【００９６】
上記実施の形態の衣料品保管具の図６及び図７及び図１０乃至図１２に示す第２掛部１０ｆ，２０ｆ，３０ｆ，４０ｆ，７０ｆ及び掛部５０ｆ，６０ｆは、第２掛部１０ｆ，２０ｆ，３０ｆ，４０ｆ，７０ｆ及び掛部５０ｆ，６０ｆに対して柔軟体としての布３が着脱可能であるから、柔軟体としての布３の端部を縫製することができ、安価に製造でき、柔軟体としての布３のみの洗濯も可能である。
【００９７】
図１乃至図７の衣料品保管具は、第１掛部１ｅ，１０ｅ，２０ｅ，３０ｅ，４０ｅは省略しても、基本的機能が低下するものではない。即ち、上記実施の形態の衣料品保管具は、両端から中央にむかって滑かな山状に突出させた構成体上部１ｂと、構成体上部１ｂの略中央に一端を接続してなる略逆Ｕ字状に形成された吊り部１ａと、構成体上部１ｂの両端に接続してなる略直線状の掛部１ｆとを有し、対をなす第１支持体１及び第２支持体２と、第１支持体１の掛部１ｆと第２支持体２の掛部２ｆとの間を連結し、第１支持体１と第２支持体２とを重ね合せたときに２つ折り自在となり、かつ、両者間で形成された面相互間の内側に衣料品を載せることが自在な布３からなる柔軟体とを具備する実施の形態を含む発明とすることができる。
【００９８】
図１乃至図７の衣料品保管具は、第１掛部１ｅ，１０ｅ，２０ｅ，３０ｅ，４０ｅは省略したものと、図１３の第２支持体１００とを組合せることもできる。即ち、上記実施の形態の衣料品保管具は、両端から中央にむかって滑かな山状に突出させた構成体上部１ｂと、構成体上部１ｂの略中央に一端を接続してなる略逆Ｕ字状に形成された吊り部１ａと、構成体上部１ｂの両端に接続してなる略直線状の掛部１ｆとを有する第１支持体１と、略長方形状に形成し、略直線状の第１掛部１００ｅと、その第１掛部１００ｅに平行し、かつ、所定の距離を離した第２掛部１００ｆと、第１支持体１に対して係止可能な鉤部１００ｍ及び鉤部１００ｎを所定数配設した第２支持体１００と、第１支持体１の第２掛部１ｆと第２支持体１００の第２掛部１００ｆとの間を連結し、第１支持体１に対して第２支持体１００を係止したときに２つ折り自在となり、かつ、両者間で形成された面相互間の内側に衣料品を載せることが自在な柔軟体とを具備する実施の形態を含む発明とすることができる。この場合にも、基本的機能が低下するものでははない。
【００９９】
図１乃至図７の衣料品保管具は、第１掛部１ｅ，１０ｅ，２０ｅ，３０ｅ，４０ｅを省略したものと、図１３の第２支持体１００の第１掛部１００ｅを省略したものとを組合せることもできる、即ち、上記実施の形態の衣料品保管具は、両端から中央にむかって滑かな山状に突出させた構成体上部１ｂと、構成体上部１ｂの略中央に一端を接続してなる略逆Ｕ字状に形成された吊り部１ａと、構成体上部１ｂの両端に接続してなる略直線状の掛部１ｆとを有する第１支持体１と、略直線状の掛部１００ｆと、第１支持体１に対して係止可能な鉤部１００ｍ，１００ｎを所定数配設した第２支持体１００と、第１支持体１の掛部１ｆと第２支持体１００の掛部１００ｆとの間を連結し、第１支持体１に対して第２支持体１００の鉤部１００ｍ，１００ｎを係止したときに２つ折り自在となり、かつ、両者間で形成された面相互間の内側に衣料品を載せることが自在な布３からなる柔軟体とを具備する実施の形態を含む発明とすることができる。この場合にも、基本的機能が低下するものではない。
【０１００】
上記実施の形態の衣料品保管具は、図１０乃至図１２に示すように、横方向の一端が解放してなる略横Ｕ字状に形成され、前記略横Ｕ字状の一方の略直線状の略中央を略逆Ｕ字状に形成した吊り部５０ａ，６０ａ，７０ａと、前記略横Ｕ字状の他方を略直線状に形成した掛部５０ｆ，６０ｆ、第２掛部７０ｆとを有し、対をなす第１支持体５０，６０，７０及び第２支持体（５０，６０，７０と同一のもの）と、第１支持体５０，６０，７０の掛部５０ｆ，６０ｆ、第２掛部７０ｆと第２支持体（５０，６０，７０と同一のもの）の掛部及び第２掛部（５０ｆ，６０ｆ，７０ｆと同一のもの）との間を連結し、第１支持体５０，６０，７０及び第２支持体（５０，６０，７０と同一のもの）とを重ね合せたときに、両者間で形成された面相互間の内側に衣料品を載せることが自在な柔軟体とを具備する実施の形態を含む発明とすることができる。
【０１０１】
この実施の形態では、金属管９０ａ，９０ｂに吊り部５０ａ，６０ａ，７０ａに直接掛けるものでなく、横方向の一端が解放してなる略横Ｕ字状に金属管９０ａ，９０ｂを導き入れれば、吊り部５０ａ，６０ａ，７０ａに引掛るものであるから、引掛けが極めて容易である。
【０１０２】
図１０に示す上記実施の形態の衣料品保管具の掛部５０ｆの先端部には、布３からなる柔軟体の移動を防止する着脱自在なキャップ５０ｆ1 が設けられているものであるから、布３からなる柔軟体の抜け止めとして機能する。
【０１０３】
図１２に示す上記実施の形態の衣料品保管具は、第１支持体７０及び第２支持体（７０）の略横Ｕ字状の構成体側部７０ｃと掛部７０ｆの先端部に取付けられ、前記掛部７０ｆと所定距離離れて直線部分が平行する補助部材７１を有するものであるから、補助部材７１が掛部として機能し、クリーニング等の依頼者単位、セット単位にまとめ易くなる。
【０１０４】
図１０乃至図１２の衣料品保管具は、第１掛部７０ｅ、第２掛部７０ｆ、掛部５０ｆ，６０ｆには、その一部または全部に変形を防止するリブ５８，６８ａ，６８ｂ，６８ｃを形成したものであるから、機械的強度が増し、インサートを挿入して成形することなく、合成樹脂のみでも必要な強度が得られる。
【０１０５】
上記実施の形態の衣料品保管具の布３からなる柔軟体は、その両端部に、前記掛部または第２掛部が挿通される筒部を形成し、離脱自在としたものでは、布３からなる柔軟体自体の洗濯が可能となる。
【０１０６】
上記実施の形態の衣料品保管具の布３からなる柔軟体の端部に形成された筒部は、接着、縫製、スナップ釦、接着布のいずれか１つによって形成したものであり、布３からなる柔軟体が独立して形成でき、製造効率が良くなる。
【０１０７】
上記各実施の形態の衣料品保管具の第１支持体１，１０，２０，３０，４０，５０，７０または第２支持体２（１０，２０，３０，４０，５０，７０と同一のもの）は、色彩で区別できるように形成すると、色彩によってクリーニングの仕上り等が表示でき、引渡しの管理が容易になる。
【０１０８】
図８に示したように、上記実施の形態の衣料品保管具の第１支持体１，１０，２０，３０，４０，５０，７０または第２支持体２（１０，２０，３０，４０，５０，７０と同一のもの）には、識別のための表示部１ｍを設けたものであるから、従来からのクリーニングの取次ぎのシステムを維持することもできる。また、色彩によってクリーニングの仕上り等が表示でき、引渡しの管理が容易になる。
【０１０９】
上記実施の形態の衣料品保管具の布３からなる柔軟体には、表示部９ａを設けるものであるから、従来からのクリーニングの取次ぎのシステムを維持することもできる。また、色彩によってクリーニングの仕上り等が表示でき、引渡しの管理が容易になる。
【０１１０】
上記実施の形態の衣料品保管具の布３からなる柔軟体には、綿布で形成したものであるから、静電気等によって、誇が付着し難く、かつ、洗濯が容易である。
【０１１１】
上記実施の形態の衣料品保管具の布３からなる柔軟体には、紐体４，５を取付け、開口側の開きを拘束するものであるから、布３からなる柔軟体で保持する量の大小に対応できる。
【０１１２】
なお、本実施の形態の衣料品保管具は、第１支持体及び第２支持体に直接上着を掛けることもできる。このとき、図１０乃至図１２に示す実施の形態のものは、吊り部５０ａ，６０ａ，７０ａ側が両端から中央にむかって滑かな山状に突出させた形状となるが、略横Ｕ字状に形成された一方の略直線状の略中央を略逆Ｕ字状に形成した吊り部５０ａ，６０ａ，７０ａを有する側の略直線状の概念に含まれるものとする。
【０１１３】
【発明の効果】
以上に説明したように、請求項１の衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有し、対をなす第１支持体及び第２支持体と、前記第１支持体の前記第２掛部と前記第２支持体の前記第２掛部との間を連結し、第１支持体と第２支持体とを重ね合せたときに２つ折り自在となり、かつ、両者間で形成された面相互間の内側に衣料品を載せることが自在な柔軟体とを具備するものである。したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、容易にまとめて取り出すことができる効果がある。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１１４】
請求項２の衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の第１掛部と、前記第１掛部に平行し、かつ、所定の距離を離して形成した第２掛部とを有する第１支持体と、略長方形状に形成し、略直線状の第１掛部と、その第１掛部に平行し、かつ、所定の距離を離した第２掛部と、前記第１支持体に対して係止可能な鉤部を所定数配設した第２支持体と、前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体とを具備するものである。
【０１１５】
したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、容易にまとめて取り出すことができる効果がある。また、吊り部が１個所となるから、その引掛け操作が不慣れな人にも簡単である。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１１６】
請求項３の衣料品保管具の前記第２支持体の前記第１掛部には、鉤部を固着したものであるから、請求項２記載の効果に加えて、重心位置が下になり安定した係止状態が維持できる。
【０１１７】
請求項４の衣料品保管具の前記第２掛部は、第２掛部に対して柔軟体が着脱可能であるものであるから、請求項１乃至請求項３の何れか１つに記載の効果に加えて、柔軟体が独立して製造でき、かつ、洗濯等が容易である。
【０１１８】
請求項５の衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有し、対をなす第１支持体及び第２支持体と、前記第１支持体の前記掛部と前記第２支持体の前記掛部との間を連結し、第１支持体と第２支持体とを重ね合せたときに２つ折り自在となり、かつ、両者間で形成された面相互間の内側に衣料品を載せることが自在な柔軟体とを具備するものである。
【０１１９】
したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、かつ、その状態が目視でき、容易にまとめて取り出すことができる効果がある。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１２０】
請求項６の衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、略長方形状に形成し、略直線状の第１掛部と、その掛部に平行し、かつ、所定の距離を離した第２掛部と、前記第１支持体に対して係止可能な鉤部を所定数配設した第２支持体と、前記第１支持体の前記第２掛部と前記第２支持体の前記第２掛部との間を連結し、第１支持体に対して第２支持体を係止したときに２つ折り自在となり、かつ、両者間で形成された面相互間の内側に衣料品を載せることが自在な柔軟体とを具備するものである。
【０１２１】
したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、かつ、その状態が目視でき、容易にまとめて取り出すことができる効果がある。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１２２】
請求項７の衣料品保管具は、両端から中央にむかって滑かな山状に突出させた構成体上部と、前記構成体上部の略中央に一端を接続してなる略逆Ｕ字状に形成された吊り部と、前記構成体上部の両端に接続してなる略直線状の掛部とを有する第１支持体と、略直線状の掛部と、前記第１支持体に対して係止可能な鉤部を所定数配設した第２支持体と、前記第１支持体の前記掛部と前記第２支持体の前記掛部との間を連結し、第１支持体に対して第２支持体を係止したときに２つ折り自在となり、かつ、両者間で形成された面相互間の内側に衣料品を載せることが自在な柔軟体とを具備するものである。
【０１２３】
したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、かつ、その状態が目視でき、容易にまとめて取り出すことができる効果がある。そして、全体の軽量化が可能になり製造コストを低減できる効果がある。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１２４】
請求項８の衣料品保管具は、横方向の一端が解放してなる略横Ｕ字状に形成され、前記略横Ｕ字状の一方の略直線状の略中央を略逆Ｕ字状に形成した吊り部と、前記略横Ｕ字状の他方を略直線状に形成した掛部とを有し、対をなす第１支持体及び第２支持体と、前記第１支持体の前記掛部と前記第２支持体の前記掛部との間を連結し、第１支持体と第２支持体とを重ね合せたときに、両者間で形成された面相互間の内側に衣料品を載せることが自在な柔軟体とを具備するものである。
【０１２５】
したがって、クリーニングが完了したシャツ等の保管及び取り出しが容易であり、お客に見えるところにクリーニングの完了したシャツを保管しても、下積み、上積みの問題が発生せずお客に不快感を持たれるのが防止されるとともに、複数点の服飾品をセットでクリーニング依頼を受けた場合においても、クリーニングが完了したこれらの品をまとめて保管でき、容易にまとめて取り出すことができる効果がある。そして、全体の軽量化が可能になり製造コストを低減でき、また、製造する材料が合成樹脂、金属、木材等の選択自由度が高くなる効果がある。よって、クリーニングが完了したシャツ等の衣類の取り出しが容易であり、下積み、上積みの問題によるお客に不快感を持たれるのが防止され、クリーニング完了順に保管が可能であり、かつ、クリーニングが完了したシャツ等が縦に管理できるから、省スペース化できる効果がある。
【０１２６】
請求項９の衣料品保管具の前記掛部の先端部には、柔軟体の移動を防止する着脱自在なキャップが設けられているものであるから、請求項８に記載の効果に加えて、取り扱い中に柔軟体が移動し、見苦しい状態になったり、保持したものが落下したりするのを防止できる効果がある。
【０１２７】
請求項１０の衣料品保管具は、前記第１支持体及び第２支持体の前記略横Ｕ字状の構成体側部と前記掛部の先端部に取付けられ、前記掛部と所定距離離れて直線部分が平行する補助部材を有するものであるから、請求項８または請求項９に記載の効果に加えて、複数点の服飾品をセットでクリーニング依頼を受けた場合においても、クリーニングが完了したこれらの品をまとめての保管ができ、かつ、その状態が目視できる効果がある。
【０１２８】
請求項１１の衣料品保管具の第１掛部、第２掛部、掛部には、その一部または全部に変形を防止するリブを形成したものであるから、請求項１乃至請求項１０のいずれか１つに記載の効果に加えて、機械的強度を増大させ、合成樹脂等で成形しても、柔軟体で保持できる重量を大きくできる効果がある。
【０１２９】
請求項１２の衣料品保管具の前記柔軟体は、その両端部に、前記掛部または第２掛部が挿通される筒部を形成したものであるから、請求項１乃至請求項１１のいずれか１つに記載の効果に加えて、柔軟体が独立して縫製等で製造でき、かつ、洗濯等が容易である。
【０１３０】
請求項１３の衣料品保管具の前記筒部は、接着、縫製、スナップ釦、接着布のいずれか１つによって形成したものであるから、請求項１２に記載の効果に加えて、比較的簡単に掛部または第２掛部に接続することができ、意図しない外力により簡単に外れることがない。
【０１３１】
請求項１４の衣料品保管具の前記第１支持体または第２支持体は、色彩で区別できるように形成したものであるから、請求項１乃至請求項１３のいずれかに記載の効果に加えて、クリーニングの取次ぎする場合の日程管理が色ででき、店側だけでなく、客側に日程管理の重要性を教える（見せる）ことができる。
【０１３２】
請求項１５の衣料品保管具の前記第１支持体または第２支持体には、識別のための表示部を設けたものであるから、請求項１乃至請求項１４のいずれかに記載の効果に加えて、クリーニングの取次ぎする場合の日程管理が色ででき、店側だけでなく、客側に日程管理の重要性を教える（見せる）ことができる。また、従来のクリーニングの取次店としてのシステムを固執することができる。
【０１３３】
請求項１６の衣料品保管具の前記柔軟体には、識別のための表示部を設けるものであるから、請求項１乃至請求項１４のいずれか１つに記載の効果に加えて、クリーニングの取次ぎする場合の日程管理が色ででき、店側だけでなく、客側に日程管理の重要性を教える（見せる）ことができる。また、従来のクリーニングの取次店としてのシステムを固執することができる。
【０１３４】
請求項１７の衣料品保管具の前記柔軟体は、綿布で形成したものであるから、請求項１乃至請求項１６のいずれか１つに記載の効果に加えて、静電気によって埃が付着することなく、かつ、洗濯が簡単にでき、繰返しの洗濯に対しても長寿とすることができる。
【０１３５】
請求項１８の衣料品保管具の前記柔軟体には、紐体を取付け、開口側の開きを拘束するものであるから、請求項１乃至請求項１４のいずれか１つに記載の効果に加えて、前記柔軟体で保持する量に対応でき、前記柔軟体からクリーニングの仕上り品が落下することがない。
【図面の簡単な説明】
【図１】  図１はこの発明の実施の形態１による衣料品保管具の斜視図である。
【図２】  図２は図１に示す衣料品保管具の使用例を示す説明図である。
【図３】  図３は図１に示す衣料品保管具の他の使用例を示す説明図である。
【図４】  図４は図１の接着布に代わりスナップ釦を用いた場合の実施の形態１の衣料品保管具の斜視図である。
【図５】  図５は図１に示す衣料品保管具において、支持体と柔軟体との接続方法を示す図である。
【図６】  図６はこの発明の実施の形態１による衣料品保管具の支持体の他の例を示す図である。
【図７】  図７はこの発明の実施の形態１による衣料品保管具の支持体の、更に、他の例を示すとともに、この支持体と柔軟体との関係を示す図である。
【図８】  図８はこの発明の実施の形態１による衣料品保管具の表示部が設けられた支持体を示す図である。
【図９】  図９は図１に示す衣料品保管具の柔軟体に表示部が設けられた図である。
【図１０】  図１０はこの発明の実施の形態２による衣料品保管具の説明図である。
【図１１】  図１１はこの発明の実施の形態２の衣料品保管具にかかる他の事例の説明図である。
【図１２】  図１２はこの発明の実施の形態２の衣料品保管具にかかる更に、他の衣料品保管具の説明図である。
【図１３】  図１３はこの発明の実施の形態３による衣料品保管具の斜視図である。
【図１４】  図１４は従来におけるクリーニングが完了したシャツの保管状態を示す説明図である。
【符号の説明】
１，１０，２０，３０，４０，５０，６０，７０      第１支持体
２（１０，２０，３０，４０，５０，７０と同一のもの），１００第２支持体
１ａ，１０ａ，２０ａ，３０ａ，４０ａ，５０ａ，６０ａ，７０ａ      吊り部
１ｅ，２ｅ，１０ｅ，２０ｅ，３０ｅ，４０ｅ，７０ｅ，１００ｅ第１掛部
１ｆ，２ｆ，１０ｆ，２０ｆ，３０ｆ，７０ｆ，１００ｆ        第２掛部
５０ｆ，６０ｆ      掛部
１ｂ，１０ｂ，２０ｂ，３０ｂ，４０ｂ，５０ｂ，６０ｂ，７０ｂ構成体上部
１ｃ，１ｄ，１０ｃ，１０ｄ，７０ｃ，１００ｃ，１００ｄ        構成体側部
３          布（柔軟体）
４，５      紐体
９ａ        表示部
５０ｆ1     キャップ
５８，６８ａ，６８ｂ，６８ｃ        リブ
７１        補助部材
９０ａ，９０ｂ      金属管
１００ｍ，１００ｎ        鉤部
【図１】
0004395856.tif 000002
【図２】
0004395856.tif 000003
【図３】
0004395856.tif 000004
【図４】
0004395856.tif 000005
【図５】
0004395856.tif 000006
【図６】
0004395856.tif 000007
【図７】
0004395856.tif 000008
【図８】
0004395856.tif 000009
【図９】
0004395856.tif 000010
【図１０】
0004395856.tif 000011
【図１１】
0004395856.tif 000012
【図１２】
0004395856.tif 000013
【図１３】
0004395856.tif 000014
【図１４】
0004395856.tif 000015